【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
隔壁を隔てて光線を通過させる複数の開口が長手方向に格子状に規則的に配列され、隣接する前記開口どうしが前記隔壁により互いに遮光状態に保たれる遮光部材を一体成形する遮光部材の製造装置において、
型締めされ相互に接した状態において前記遮光部材の外形に相当するキャビティを画成する第１のキャビティ金型、および第２のキャビティ金型と、
前記第１のキャビティ金型の外側から前記第１のキャビティ金型を貫通して前記キャビティに挿入されるよう前記開口と同数の第１のコアピンが櫛歯状に配置された第１のコア部材と、
前記第２のキャビティ金型の外側から前記第２のキャビティ金型を貫通して前記キャビティに挿入されるよう前記開口と同数の第２のコアピンが櫛歯状に配置された第２のコア部材と、を備え、
前記キャビティに挿入された隣接する前記第１および第２のコアピンが、これら第１および第２のコアピンが全体として前記開口の１つを画成するよう互いに位置決め係合させる係合面と、前記隔壁を画成する金型面と、を含み、
第１および第２のキャビティ金型を型閉じして画成された前記キャビティに挿入された前記第１および第２のコアピンの金型面どうしの間に画成される空間に樹脂を充填して前記遮光部材を成形し、冷却後、前記第１および第２のコア部材を介して前記第１および第２のコアピンの金型面が前記隔壁から離間する方向に前記第１および第２のコアピンを抜去することを特徴とする遮光部材の製造装置。
【請求項２】
請求項１に記載の遮光部材の製造装置において、前記第１および第２のキャビティ金型の内側に、これら金型の開閉方向に直交する方向に対して傾斜して前記遮光部材の外形を画成するキャビティが形成され、前記第１および第２のコアピンは前記第１および第２のコア部材を介して前記第１および第２のキャビティ金型の開閉方向と平行に挿入または型抜きされるよう配置されることを特徴とする遮光部材の製造装置。
【請求項３】
請求項１または２に記載の遮光部材の製造装置において、前記樹脂の充填および冷却後、まず前記第１および第２のキャビティ金型が型閉じの状態で前記キャビティから前記第１および第２のコアピンが抜去され、その後、前記第１および第２のキャビティ金型が型開きするよう前記第１および第２のコア部材による前記第１および第２のコアピンの抜去と、前記第１および第２のキャビティ金型の型開きと、を連動させる連動機構が設けられることを特徴とする遮光部材の製造装置。
【請求項４】
請求項１から３のいずれか１項に記載の遮光部材の製造装置において、前記第１および第２のコアピンの、前記隔壁を画成する金型面に粗面加工が施され、この粗面加工された金型面によって前記隔壁の内面が反射防止面として形成されることを特徴とする遮光部材の製造装置。
【請求項５】
請求項１から４のいずれか１項に記載の遮光部材の製造装置において、前記第１および第２のコアピンの、前記隔壁を除く前記開口の内面を画成する金型面に粗面加工が施され、この粗面加工された金型面によって前記隔壁を除く前記開口の内面が反射防止面として形成されることを特徴とする遮光部材の製造装置。
【請求項６】
請求項５に記載の遮光部材の製造装置において、前記第１および第２のコアピンの前記隔壁を除く前記開口の内面を画成する金型面が前記開口の内面から離間するよう前記第１および第２のコアピンが抜去されることを特徴とする遮光部材の製造装置。
【請求項７】
請求項１から５のいずれか１項に記載の遮光部材の製造装置において、前記第１および第２のキャビティ金型とともに開閉される規制金型面を備え、この規制金型面により前記隔壁の両側の端部を画成するとともに、前記第１および第２のコアピンが抜去される際、前記隔壁の両側の端部に当接してその位置を規制することを特徴とする遮光部材の製造装置。
【請求項８】
請求項７に記載の遮光部材の製造装置において、前記規制金型面が前記第１および第２のキャビティ金型と一体形成されていることを特徴とする遮光部材の製造装置。
【請求項９】
請求項１から８のいずれか１項に記載の遮光部材の製造装置において、前記第１または第２のコアピンの複数本がその複数本を単位としてコアピンブロックとして一体形成され、前記コアピンブロックが前記第１または第２のコア部材に装着されることを特徴とする遮光部材の製造装置。
【請求項１０】
請求項９に記載の遮光部材の製造装置において、前記コアピンブロックに一体形成された第１または第２のコアピンの少なくとも前記隔壁を画成する金型面に相当する部位がワイヤ放電加工により形成されていることを特徴とする遮光部材の製造装置。
【請求項１１】
隔壁を隔てて光線を通過させる複数の開口が長手方向に格子状に規則的に配列され、隣接する前記開口どうしが前記隔壁により互いに遮光状態に保たれる遮光部材を金型を用いて一体成形する遮光部材の製造方法において、
前記金型は、型締めされ相互に接した状態において前記遮光部材の外形に相当するキャビティを画成する第１のキャビティ金型、および第２のキャビティ金型と、前記第１のキャビティ金型の外側から前記第１のキャビティ金型を貫通して前記キャビティに挿入されるよう前記開口と同数の第１のコアピンが櫛歯状に配置された第１のコア部材と、前記第２のキャビティ金型の外側から前記第２のキャビティ金型を貫通して前記キャビティに挿入されるよう前記開口と同数の第２のコアピンが櫛歯状に配置された第２のコア部材と、を備え、かつ、前記キャビティに挿入された隣接する前記第１および第２のコアピンが、これら第１および第２のコアピンが全体として前記開口の１つを画成するよう互いに位置決め係合させる係合面と、前記隔壁を画成する金型面と、を含み、
第１および第２のキャビティ金型を型閉じして画成された前記キャビティに挿入された前記第１および第２のコアピンの金型面どうしの間に画成される空間に樹脂を充填する充填工程と、
前記樹脂の冷却後、前記第１および第２のコア部材を介して前記第１および第２のコアピンの金型面が前記隔壁から離間する方向に前記第１および第２のコアピンを抜去する抜去工程と、
前記抜去工程の後、前記第１および第２のキャビティ金型を型開きさせる型開き工程と、を含むことを特徴とする遮光部材の製造方法。
【請求項１２】
請求項１１に記載の遮光部材の製造方法において、前記第１および第２のキャビティ金型の内側に、これら金型の開閉方向に直交する方向に対して傾斜して前記遮光部材の外形を画成するキャビティが形成され、前記第１および第２のコアピンは前記第１および第２のコア部材を介して前記第１および第２のキャビティ金型の開閉方向と平行に挿入または型抜きされるよう配置されることを特徴とする遮光部材の製造方法。
【請求項１３】
請求項１１または１２に記載の遮光部材の製造方法において、前記第１および第２のコアピンの、前記隔壁を画成する金型面に粗面加工が施され、この粗面加工された金型面によって前記隔壁の内面が反射防止面として形成されることを特徴とする遮光部材の製造方法。
【請求項１４】
請求項１１から１３のいずれか１項に記載の遮光部材の製造方法において、前記第１および第２のコアピンの、前記隔壁を除く前記開口の内面を画成する金型面に粗面加工が施され、この粗面加工された金型面によって前記隔壁を除く前記開口の内面が反射防止面として形成されることを特徴とする遮光部材の製造方法。
【請求項１５】
請求項１４に記載の遮光部材の製造方法において、前記第１および第２のコアピンの前記隔壁を除く前記開口の内面を画成する金型面が前記開口の内面から離間するよう前記第１および第２のコアピンが抜去されることを特徴とする遮光部材の製造方法。
【請求項１６】
請求項１１から１５のいずれか１項に記載の遮光部材の製造方法において、前記第１および第２のキャビティ金型とともに開閉される規制金型面を用いて、前記隔壁の両側の端部を画成するとともに、前記第１および第２のコアピンが抜去される際、前記隔壁の両側の端部に当接してその位置を規制することを特徴とする遮光部材の製造方法。
【請求項１７】
請求項１６に記載の遮光部材の製造方法において、前記規制金型面が前記第１および第２のキャビティ金型と一体形成されていることを特徴とする遮光部材の製造方法。
【請求項１８】
請求項１１から１７のいずれか１項に記載の遮光部材の製造方法において、前記第１または第２のコアピンの複数本がその複数本を単位としてコアピンブロックとして一体形成され、前記コアピンブロックが前記第１または第２のコア部材に装着されることを特徴とする遮光部材の製造方法。
【請求項１９】
請求項１８に記載の遮光部材の製造方法において、前記コアピンブロックに一体形成された第１または第２のコアピンの少なくとも前記隔壁を画成する金型面に相当する部位がワイヤ放電加工により形成されていることを特徴とする遮光部材の製造方法。
【請求項２０】
隔壁を隔てて光線を通過させる複数の開口が長手方向に格子状に規則的に配列され、隣接する前記開口どうしが前記隔壁により互いに遮光状態に保たれる遮光部材であって、前記開口の内面に粗面が形成されていることを特徴とする遮光部材。
【請求項２１】
発光素子ユニットによって画像を形成する画像形成装置であって、前記発光素子ユニットは、壁を隔てて光線を通過させる複数の開口が長手方向に格子状に規則的に配列され、隣接する前記開口どうしが隔壁により互いに遮光状態に保たれる遮光部材を有し、前記開口の内面に粗面が形成されていることを特徴とする画像形成装置。